(57)【要約】【課題】把持部の形状の異なる複数の彫刻刀を組合わせて形成された彫刻刀セットを提供することを課題とする。【解決手段】彫刻刀セット１は、小丸刀２ａ、丸刀２ｂ、三角刀２ｃ、切出し刀２ｄ、及び平刀２ｅからなる五本の彫刻刀２と、該彫刻刀２を収容可能なケース３とから主に構成されている。そして、小丸刀２ａ及び三角刀２ｃと、丸刀２ｂ及び平刀２ｅと、切出し刀２ｄとは、彫刻刀本体の把持部４，３１，４１がそれぞれ異なる形状で形成されている。そして、係る把持部４，３１，４１は、作業の用途に適する状態で彫刻刀２を把持することができるように形成されている。そのため、作業者は、長時間の作業でも疲れを感じることがなく、正しい把持の仕方で安定して版画などの制作作業を行うことができる。【選択図】        図１
2004330646.tif 000002
【特許請求の範囲】
【請求項１】
親指、人差し指、及び中指によって把持される把持部、及び前記把持部の一端から延設された柄部を有する彫刻刀本体と、
前記把持部の他端に設けられた刃取付部に取着された刃部と
を具備し、
前記把持部は、
前記親指及び前記人差し指の指腹の形状に合わせて形成された凹状湾曲面を有する一対の挟持部を備え、断面略逆三角形状を呈することを特徴とする彫刻刀。
【請求項２】
前記把持部は、
一対の前記挟持部の上端を互いに連接し、下方に向かって凹状に湾曲して形成された第二凹状湾曲面を有する上面部をさらに具備することを特徴とする請求項１に記載の彫刻刀。
【請求項３】
前記刃取付部に取着される前記刃部に、小丸刃及び三角刃のいずれか一方が適用された小丸刀または三角刀として構成されることを特徴とする請求項１または請求項２に記載の彫刻刀。
【請求項４】
前記刃取付部に取着される前記刃部に、丸刃及び平刃のいずれか一方が適用された丸刀または平刀として構成され、
前記把持部の長さは、
前記小丸刀及び前記三角刀に比して、伸長して形成されていることを特徴とする請求項３に記載の彫刻刀。
【請求項５】
前記把持部及び前記柄部の少なくともいずれか一方は、
載置の際の転動を防止する転動防止手段をさらに備えることを特徴とする請求項１乃至請求項４のいずれか一つに記載の彫刻刀。
【請求項６】
親指、人差し指、及び中指によって把持される把持部、及び前記把持部の一端から延設された柄部を有する彫刻刀本体と、
前記把持部の他端に設けられた刃取付部に取着された切出し刃部と
を具備し、
前記把持部は、
前記親指及び中指の指腹の形状に合わせて形成された凹状湾曲面を有する一対の挟持部と、
前記人差し指により上方から押圧して支持される上支持部と
を有し、
切出し刀として構成されることを特徴とする彫刻刀。
【請求項７】
前記把持部は、
滑止め手段をさらに具備することを特徴とする請求項１乃至請求項６のいずれか一つに記載の彫刻刀。
【請求項８】
親指、人差し指、及び中指によって把持される把持部、及び前記把持部の一端から延設された柄部を有する彫刻刀本体、及び前記把持部の他端に設けられた刃取付部に取着された刃部を有し、前記刃部に小丸刃、三角刃、丸刃、平刃、及び切出し刃がそれぞれ適用された彫刻刀と、
複数の前記彫刻刀を収容する彫刻刀ケースと
を具備して構成される彫刻刀セットであって、
前記彫刻刀は、
前記把持部が前記親指及び前記人差し指の指腹の形状に合わせて形成された凹状湾曲面を有する一対の挟持部を備え、断面略逆三角形状を呈して形成され、前記刃部に前記小丸刃及び前記三角刃をそれぞれ適用して構成された小丸刀及び三角刀と、
前記把持部が前記小丸刀及び前記三角刀に比して伸長して形成され、前記刃部に前記丸刃及び前記平刃をそれぞれ適用して構成された丸刀及び平刀と、
前記把持部が前記親指及び中指の指腹の形状に合わせて形成された第三凹状湾曲面を有する一対の第二挟持部と、前記人差し指により上方から押圧して支持される上支持部とを有し、前記刃部に前記切出し刃を適用して構成された切出し刀と
を具備することを特徴とする彫刻刀セット。
【発明の詳細な説明】
【０００１】
【発明の属する技術分野】
本発明は、彫刻刀、及び彫刻刀セットに関するものであり、特に、異なる刃が取着された複数の彫刻刀に対し、それぞれの作業に応じて把持を容易にし、作業性を向上させることができる彫刻刀、及び彫刻刀セットに関するものである。
【０００２】
【従来の技術】
従来から、小学校や中学校の美術や図画工作などの授業時間において、版画などの制作が行われることがある。そして、このような授業では、主に木材を削り、加工する目的で彫刻刀が利用されている。
【０００３】
ここで、版画などを多彩な表現で創作するために、形状の異なる種々の刃がそれぞれ取着され、主に五本の彫刻刀をまとめた彫刻刀セットとして販売されていることが多い。そして、作業者（授業における児童など）は、作業内容に応じて、これらの彫刻刀を適宜使い分けている。ここで、従来の彫刻刀セット１００は、図７に示すように、ケース１０１に収容された小丸刀１０２、丸刀１０３、三角刀１０４、切出し刀１０５、及び平刀１０６から構成されていることが多い。
【０００４】
以上の従来技術は、当業者として当然として行われているものであり、出願人はこの従来技術が記載された文献等を本願出願時における現段階では特に知見するものではない。
【０００５】
【発明が解決しようとする課題】
しかしながら、上述した彫刻刀、特に五本セットで販売されている彫刻刀セットには、以下のような問題があった。すなわち、上述した五本セットの彫刻刀は、それぞれの刃が取着され、作業者が把持する把持部及び柄部からなる彫刻刀本体の形状が、いずれの彫刻刀においてもほとんど同一の形状及びサイズのものが適用されていた。そして、使用者の彫刻刀の選択ミスを防ぐため、各彫刻刀の彫刻刀本体の色をそれぞれ変更したものが多かった。換言すれば、彫刻刀本体に取着される刃の部分（小丸刃または丸刃など）のみが異なるに過ぎなかった。特に、近年の彫刻刀の大部分は、彫刻刀本体が合成樹脂素材から製造されることが多く、略同一の形状とすることにより、生産効率のアップや製造コストの削減に効果を有していた。
【０００６】
ところで、前述したように、複数の刃先形状の異なる彫刻刀をセットとして用意することにより、版画等の制作時に作業者が用いる彫刻刀を制作状況に応じて適宜変更する場合、例えば、比較的細かい部分を彫る作業に利用される小丸刀や三角刀と、比較的広い部分をまとめて彫る作業に主に利用される丸刀や平刀とでは、彫る作業において必要とされる力は、当然ながら異なっていた。ところが、前述したように同一形状で形成された彫刻刀では、作業者は同じような把持の仕方を強制することとなり、作業者は無理に彫刻刀を把持することがあった。そのため、無理な把持の仕方や力の加え方で彫刻刀を使用することにより、作業者に強い負担をかけることとなり、作業による疲労度が増加しやすく、長時間の作業を苦痛に感じる場合もあった。
【０００７】
特に、前述のセットとなった彫刻刀の中で小丸刀、丸刀、三角刀、及び平刀の群と、切出し刀とでは、作業の仕方、さらに具体的に説明すると、作業において力を加える方向が全く異なっていた。すなわち、小丸刀等からなる群は、主として作業者の手前から前方に向かって刃先を押出しながら動かすことにより、木材を削るものに対し、切出し刀は主として作業者の前方から手前に向かって刃先を引きながら動かすことにより、木材の切出しをおこなっていた。そのため、係る双方の作業は、全く異種のものであり、力の加え方の差異による把持の仕方も異なっていた。しかしながら、前述したように小丸刀等と切出し刀とに利用される彫刻刀は、いずれも同一の形状で構成されたものが利用されることが現状であり、作業者はさらに多大な負担を強いられた状態で作業を行うことが強制され、大きなストレスを感じることがあった。
【０００８】
ところで、前述した小学校の図画工作の授業などでは、教科書やその他教科書の内容を補助する補助教材の中で、彫刻刀の正しい持ち方（把持の仕方）について記載されていることがあり、教師は授業の中で生徒（児童）に対し、彫刻刀の正しい持ち方について指導を行っていることがあった。なお、彫刻刀の正しい持ち方（切出し刀を除く）とは、一般に鉛筆を持つように親指、人差し指、及び中指によって三点で支持することが特に望ましかった。しかしながら、従来の彫刻刀は、鉛筆を持つように、彫刻刀を正しく持つことがその形状からすることが難しかったり、或いは生徒に無理な姿勢で正しい持ち方を強制するものがあった。そのため、教師、保護者、及び生徒などから、正しい彫刻刀の持ち方を無理なく自然にすることができる彫刻刀を望む声が強かった。
【０００９】
そこで、本発明は、上記実情に鑑み、作業に応じて適する把持を無理なく行うことが可能な把持部を有する彫刻刀を提供することを第一の課題とし、複数の彫刻刀を組合わせて形成された彫刻刀セットを提供することを第二の課題とするものである。
【００１０】
【課題を解決するための手段】
上記の課題を解決するため、本発明にかかる彫刻刀は、「親指、人差し指、及び中指によって把持される把持部、及び前記把持部の一端から延設された柄部を有する彫刻刀本体と、前記把持部の他端に設けられた刃取付部に取着された刃部とを具備し、前記把持部は、前記親指及び前記人差し指の指腹の形状に合わせて形成された凹状湾曲面を有する一対の挟持部を備え、断面略逆三角形状を呈する」ものから主に構成されている。
【００１１】
したがって、本発明の彫刻刀によれば、作業者が彫刻刀を使用する際に把持する把持部の形状が、断面略逆三角形状をなして形成されている。そして、親指及び人差し指によって挟持される面が、親指及び人差し指の指腹（指の内側、指紋の有る部分）の形状に略一致するように、凹状に湾曲した凹状湾曲面で形成され、係る凹状湾曲面を有する挟持部がそれぞれに一対で設けられている。このため、彫刻刀の作業者（例えば、児童など）は、親指及び人差し指によって係る凹状湾曲面を両側から挟持し、さらに中指によって把持部を下方から支持するようにして把持する。
【００１２】
これにより、作業者は恰も鉛筆を持つような状態で彫刻刀を楽に（把持に違和感を覚えることなく）持つことが可能となる。特に、挟持部の凹状湾曲面が親指及び人差し指の指腹の形状に合わせて湾曲して形成されているため、挟持の際のフィット感がよくなる。その結果、正しい把持状態で彫刻刀を把持することが継続して可能となり、長時間の作業においても作業者が疲れを感じることが少なくなる。また、安定した状態で把持が可能となるため、作業者によって加えられる力が確実に刃部に伝達される。ここで、刃取付部に取付けられる刃部は、特に限定されないが、主に作業者の手前から奥方向に向かって力を加える作業に利用される、小丸刃、丸刃、三角刃、及び平刃などから適宜選択されることが好適である。
【００１３】
さらに、本発明の彫刻刀は、上記構成に加え、「前記把持部は、一対の前記挟持部の上端を互いに連接し、下方に向かって凹状に湾曲して形成された第二凹状湾曲面を有する上面部を」さらに具備するものであってあっても構わない。
【００１４】
したがって、本発明の彫刻刀によれば、把持部に上面部がさらに形成され、下方に向かって凹状に湾曲した第二凹状湾曲面を有している。ここで、例えば、版画などを制作する作業を行う場合、一度の彫り動作で、多くの量、或いは広い面積から木材を削り取ろうとする場合、彫刻刀に加えられる力は必然的に大きくなる。このとき、彫刻刀の持ち手側（主に利き手側）によって力を加えるとともに、他方の手（若しくは指）を彫刻刀の把持部の上面に添えて力を付加しながら作業する場合がある。そこで、他方の手（指）を添える箇所に、下方に向かって凹状に湾曲した第二凹状湾曲面を有する上面部を形成することにより、手等を添える動作が行いやすくなる。ここで、刃取付部に取付けられる刃部としては、作業に比較的大きな力を要する丸刃や平刃などが選択されることが特に好適である。
【００１５】
さらに、本発明の彫刻刀は、上記構成に加え、「前記刃取付部に取着される前記刃部に、小丸刃及び三角刃のいずれか一方が適用された小丸刀または三角刀として構成される」ものであっても構わない。
【００１６】
したがって、本発明の彫刻刀によれば、把持部の他端に設けられた刃取付部に取着される刃部として、小丸刀用の小丸刃及び三角刀用の三角刃のいずれか一つが適用され、小丸刀または三角刀が構成される。特に、小丸刀及び三角刀は、比較的細かい部分を彫る作業に利用されるため、上述した把持部を正しく把持することにより、作業の際の力の入れ具合（入れ加減）を微妙に調整しながら作業者の手前から奥方向に刃部を進めることが安定して行えるようになる。さらに、正しい把持状態が保持されるため、作業者が疲れを感じることが少なくなる。
【００１７】
さらに、本発明の彫刻刀は、上記構成に加え、「前記刃取付部に取着される前記刃部に、丸刃及び平刃のいずれか一方が適用された丸刀または平刀として構成され、前記把持部の長さは、前記小丸刀及び前記三角刀に比して、伸長して形成されている」ものであっても構わない。
【００１８】
したがって、本発明の彫刻刀によれば、刃取付部に取着される刃部として、丸刀用の丸刃及び平刀用の平刃のいずれか一つが適用され、さらに把持部の長さが、前述した小丸刀及び三角刀の把持部の長さに対して伸長して形成されている。ここで、丸刀及び平刀は、比較的広い部分をまとめて彫る作業に主として用いられることにより、彫るために必要な力は小丸刀等よりも大きくなる。
【００１９】
加えて、例えば、前述したように上面部等に指を添えて彫る作業を進める場合、把持部の長さが短いと、凹状湾曲面を挟持する親指及び人差し指と、上方から添える側の指とが接触し、指を添えることで却って作業性を損なうことになり、指添えの動作が無駄になることがある。そこで、小丸刀等よりも把持部の長さを伸長して形成することにより、指の添えるスペースを確保し、持ち手側の親指等による挟持（把持）と、添え手側の指とが接触する問題を解消することが可能となる。
【００２０】
さらに、本発明の彫刻刀は、上記構成に加え、「前記把持部及び前記柄部の少なくともいずれか一方は、載置の際の転動を防止する転動防止手段をさらに備える」ものであっても構わない。
【００２１】
ここで、本発明の彫刻刀は、前述したように把持部が断面略逆三角形状を呈する。そのため、例えば、彫刻刀を作業の途中で机上に載置しようとする場合、逆三角形状の最下位置にある頂点が机上の載置面と接することになる。その結果、彫刻刀は、この頂点の箇所でバランスを採ることが困難なため、彫刻刀の長手軸方向に対して左右のいずれか一方向に傾いて転がり動く（転動する）ことが想定される。そのため、例えば、彫刻刀を机上に載置した場合、転動により机上から床面に落下する可能性がある。そこで、係る転動の状態を回避し、机上に安定して載置するために、本発明の彫刻刀には転動防止手段が設けられている。ここで、転動防止手段としては、例えば、前述した逆三角形状の最下位置にある頂点の部分を截頭して平面状の載置部を形成し、机上の載置面と載置部の少なくとも一カ所と当接状態を安定させるものなどが挙げられる。なお、同様に柄部の一部（載置面に当接する箇所）を截頭する加工を施すことにより、さらに載置状態を安定させられる。
【００２２】
したがって、本発明の彫刻刀によれば、把持部及び柄部に設けられた転動防止手段により、断面略逆三角形状を呈する把持部を有する彫刻刀を安定して机上などの面に載置することが可能となる。その結果、机上から彫刻刀が落下する可能性が小さくなり、刃物である彫刻刀によって作業者がケガをする危険性を回避することが可能となる。
【００２３】
また、本発明の彫刻刀は、「親指、人差し指、及び中指によって把持される把持部、及び前記把持部の一端から延設された柄部を有する彫刻刀本体と、前記把持部の他端に設けられた刃取付部に取着された切出し刃部とを具備し、前記把持部は、前記親指及び中指の指腹の形状に合わせて形成された凹状湾曲面を有する一対の挟持部と、前記人差し指により上方から押圧して支持される上支持部とを有し、切出し刀として」構成されている。
【００２４】
したがって、本発明の彫刻刀によれば、親指及び中指によって挟持される面が指腹の形状に合わせて形成された凹状湾曲面を有する挟持部及び人差し指によって支持される上支持部を備えた把持部を有する切出し刀が構成される。作業者は、親指及び中指によって挟持部を挟持し、さらに人差し指によって把持部の上支持部を上方から押さえるようにして支持する。これにより、特に、奥から手前方向に切出し刃部を動かす切出し作業に適した状態で把持することが可能となる。なお、係る切出し刀は、切出し刃部の取着する向きを変更することにより、右利き用及び左利き用の切出し刀にそれぞれ対応することが可能である。
【００２５】
さらに、本発明の彫刻刀は、上記構成に加え、「前記把持部は、滑止め手段をさらに具備する」ものであっても構わない。
【００２６】
したがって、本発明の彫刻刀によれば、把持部に滑止め手段が設けられている。ここで、滑止め手段の具体例としては、例えば、把持部のそれぞれの面（凹状湾曲面など）に複数の溝を設けた溝部及び孔を穿設した孔部などの凹凸を設け、把持をする際に汗などによる手の滑りを防ぐものや、これらの部分をゴムなどの弾性を有する樹脂で被覆するなど、把持部の材質を変更するものが挙げられる。これにより、それぞれの彫刻刀において作業を行う場合に、安定した把持状態を継続し、切削などを行うことが可能となる。
【００２７】
また、本発明の彫刻刀セットは、「親指、人差し指、及び中指によって把持される把持部、及び前記把持部の一端から延設された柄部を有する彫刻刀本体、及び前記把持部の他端に設けられた刃取付部に取着された刃部を有し、前記刃部に小丸刃、三角刃、丸刃、平刃、及び切出し刃がそれぞれ適用された彫刻刀と、複数の前記彫刻刀を収容する彫刻刀ケースとを具備して構成される彫刻刀セットであって、前記彫刻刀は、前記把持部が前記親指及び前記人差し指の指腹の形状に合わせて形成された凹状湾曲面を有する一対の挟持部を備え、断面略逆三角形状を呈して形成され、前記刃部に前記小丸刃及び前記三角刃をそれぞれ適用して構成された小丸刀及び三角刀と、前記把持部が前記小丸刀及び前記三角刀に比して伸長して形成され、前記刃部に前記丸刃及び前記平刃をそれぞれ適用して構成された丸刀及び平刀と、前記把持部が前記親指及び中指の指腹の形状に合わせて形成された第三凹状湾曲面を有する一対の第二挟持部と、前記人差し指により上方から押圧して支持される上支持部とを有し、前記刃部に前記切出し刃を適用して構成された切出し刀と」を具備するものから主に構成されている。
【００２８】
したがって、本発明の彫刻刀セットによれば、異なる形状を有する把持部がそれぞれ用いられた複数の彫刻刀によって彫刻刀セットが構成されている。すなわち、比較的細かな作業に利用される小丸刀及び三角刀は、断面略逆三角形状を呈し、親指及び人差し指の指腹形状にフィットするように形成された一対の第三凹状湾曲面部を有する把持部を用いて形成され、比較的広い範囲をまとめて彫る作業を行う丸刀及び平刀は、把持部の長さが小丸刀及び三角刀よりも伸長したものを用いて形成されている。
【００２９】
さらに、切出し刀は、小丸刀や丸刀などと使用態様（主に刃先を動かす方向）が異なるため、親指及び中指によって挟持する第二凹状湾曲面部及び人差し指によって上方から抑えながら支持する上支持部を有して形成される把持部を用いて形成されている。これにより、小丸刀、三角刀、丸刀、平刀、及び切出し刀のそれぞれの使用方法や特性に適するように把持部が選定された彫刻刀がセットとなって構成されている。そのため、作業者は、各々の彫刻刀を正しく把持し、作業で利用することが可能となる。さらに、作業者に彫刻刀を使用することによって無理な力や負担をかけることが軽減されるため、長時間に渡って使用する場合でも疲労を感じることが少なくなる。
【００３０】
【発明の実施の形態】
以下、本発明の一実施形態である彫刻刀セット１、及び彫刻刀セット１を構成する複数の彫刻刀２（小丸刀２ａ、丸刀２ｂ、三角刀２ｃ、平刀２ｅ、切出し刀２ｄ）の具体的構成について図１乃至図６に基づいて説明する。ここで、図１は本実施形態の彫刻刀セット１の構成を示す平面図であり、図２は小丸刀２ａの構成を示す（ａ）平面図、（ｂ）正面図、（ｃ）載置状態を示す説明図であり、図３は丸刀２ｂの構成を示す（ａ）平面図、（ｂ）正面図、（ｃ）載置状態を示す説明図であり、図４は切出し刀２ｄの構成を示す（ａ）平面図、（ｂ）正面図であり、図５は丸刀２ｂの把持例を示す説明図であり、図６は切出し刀２ｄの把持例を示す説明図である。
【００３１】
本実施形態の彫刻刀セット１は、図１に示すように、小丸刀２ａ、丸刀２ｂ、三角刀２ｃ、切出し刀２ｄ、及び平刀２ｅの五本がセットとなった彫刻刀２と、彫刻刀２を収容可能なケース３とから主に構成されている。以下に、ケース３に収容される各々の彫刻刀２について、その具体的構成について説明する。
【００３２】
小丸刀２ａは、図２または図５に示すように、親指ＴＦ、人差し指ＩＦ、及び中指ＬＦによって把持される把持部４、及び把持部４の一端から延設された扁平棒状を呈する柄部５を有し、合成樹脂によって成形加工された彫刻刀本体６と、把持部４の一端を刳抜いて設けられた刃取付部７に取着された鋼製の小丸刃部８とから主に構成されている。
【００３３】
ここで、把持部４は、親指ＴＦ及び人差し指ＩＦの指腹Ｒの形状に沿うように凹状に湾曲した凹状湾曲面９ａ，９ｂをそれぞれ有する挟持部１０ａ，１０ｂが設けられ、さらに挟持部１０ａ，１０ｂの互いの上端１１近傍を接続して形成された上面部１２を有し、断面略逆三角形状を呈している。このとき、一対の挟持部１０ａ，１０ｂの下端１３同士は曲線的に連接されている。そして、互いに連接した箇所に相当する連接部１４に中指ＬＦを当てることにより、把持部４を下方から支持することが可能となる。
【００３４】
さらに、上面部１２は、複数の孔部１５によって凹凸が設けられ、全体形状が下方に向かって凹状に湾曲した第二凹状湾曲面９ｃを有している。一方、一対の挟持部１０ａ，１０ｂの下端１３同士を接続して形成された連接部１４の形状は、図２（ｂ）に示されるように、小丸刃部８が取着された刃取付部７がある側から柄部５に向かって把持部４の太さが拡がるように形成され、連接部１４の終端（把持部４及び柄部５の境界付近）が彫刻刀本体６における太さが最大となり、係る部分が下方に向かって突出した突出部１６を備えている。さらに、突出部１６の先端は、截頭処理が施され、載置部１７が形成されている。
【００３５】
なお、柄部５の末端部１８にも、突出部１６の先端と同様に截頭処理が施され、第二載置部１９が形成されている。また、柄部５は前述したように扁平形状を呈する略棒状に形成され、末端部１８の近傍には氏名等を直接記入する、若しくは名前書き用のシールを添付するための氏名表示部２０が設けられている。なお、本実施形態の彫刻刀セット１における三角刀２ｃは、前述した把持部４及び柄部５からなる彫刻刀本体６と同一のものが利用され、小丸刃部８を三角刃部２１に変更したものである。そのため、ここでは三角刀２ｃについて詳細な説明は特に省略するものとする。ここで、小丸刃部８及び三角刃部２１が本発明の刃部に相当し、截頭処理が施された突出部１６の載置部１７及び末端部１８の第二載置部１９が本発明における転動防止手段に相当する。
【００３６】
次に、丸刀２ｂの具体的構成について、図３または図５に基づいて説明する。ここで、丸刀２ｂにおいて、既に説明した小丸刀２ａと同一の機能及び構成を有するものは、同一番号を付しここでは詳細な説明は省略するものとする。
【００３７】
丸刀２ｂは、図３または図５に示すように、小丸刀２ａ等と同様に、親指ＴＦ、人差し指ＩＦ、及び中指ＬＦによって把持される把持部３１、及び把持部３１の一端から延設された扁平棒状を呈する柄部３２を有し、合成樹脂によって成形加工された彫刻刀本体３３と、把持部３１の一端を刳抜いて設けられた刃取付部７に取着された鋼製の丸刃部３４と具備して主に構成されている。なお、丸刃部３４が本発明の刃部に相当する。ここで、丸刀２ｂは、小丸刀２ａ（若しくは、三角刀２ｃ）と比して、把持部３１の長さＬ２（図３（ａ）参照）が、小丸刀２ａの把持部の長さＬ１（図２（ａ）参照）よりも伸長して形成されている点で相違があるだけである。すなわち、彫刻刀本体３３の全体の長さは、小丸刀２ａの彫刻刀本体６の長さと同一であるのに対し、把持部３１及び柄部３２の比率が変更されている。なお、その他の構成及び把持部３１の詳細な形状は、小丸刀２ａの把持部４と同一であるため説明は省略する。また、平刀２ｅは、前述した丸刃部３４を平刃部３５に変更した構成であるため、同様に詳細な説明は省略する。
【００３８】
次に、本実施形態の彫刻刀セット１における切出し刀２ｄの具体的な構成について、図４に基づいて説明する。切出し刀２ｄは、図４（ａ）及び図４（ｂ）に示すように、親指ＴＦ、人差し指ＩＦ、及び中指ＬＦによって把持される把持部４１、及び把持部４１の一端から延設された略棒状の扁平形状を呈する柄部４２を有し、合成樹脂によって成形加工された彫刻刀本体４３と、把持部４１の他端に設けられた刃取付部７に取着された切出し刃部４４とから主に構成されている。
【００３９】
ここで、把持部４１についてさらに具体的に説明すると、挟持する親指ＴＦ及び中指ＬＦの形状に合わせて形成された凹状湾曲面４５ａ，４５ｂを有する一対の挟持部４６と、人差し指ＩＦによって上方から押さえられた状態で支持される上支持部４７とを有して形成されている。また、該上支持部４７には、複数の溝部４８によって凹凸が形成されている。なお、把持部４１は、左右対称に形成されており、上述した挟持部４６及び上支持部４７に対向する位置に、同一形状の挟持部４６及び上支持部４７を有している。これにより、把持部４１は断面略六角形状（図示しない）を呈している。ここで、凹状湾曲面４５ａ，４５ｂが本発明の彫刻刀セット１における第三凹状湾曲面に相当し、切出し刃部４４が本発明の刃部に相当し、挟持部４６が第二挟持部に相当し、溝部４８が本発明における滑止め手段に相当する。なお、把持部４１が断面略六角形状に構成されているため、切出し刃部４４の形状（刃の向き）を変更することにより、容易に右利き用から左利き用に変化させることができる。ここで、図４は右利き用の切出し刀２ｄを示している。
【００４０】
次に、本実施形態の彫刻刀２、特に丸刀２ｂ及び切出し刀２ｄの把持例について図５及び図６に基づいてそれぞれ説明する。
【００４１】
ここで、丸刀２ｂは、一対の凹状湾曲面９ａ，９ｂをそれぞれ有する挟持部１０ａ，１０ｂを、作業者の親指ＴＦ及び人差し指ＩＦで双方から挟み込むようにして挟持し、さらに、中指ＬＦの側部によって連接部１４の一部を下方から支持するようにして把持される。つまり、丸刀２ｂを鉛筆等の筆記具を握るようにして把持することができる。このとき、凹状湾曲面９ａ，９ｂは、予め挟持する親指ＴＦ及び人差し指ＩＦの指腹Ｒの形状に合わせるようにして凹状に湾曲して形成されている。そのため、親指ＴＦ及び人差し指ＩＦを凹状湾曲面９ａ，９ｂの形状にフィットさせた状態で楽に把持することができる。
【００４２】
これにより、特に、作業者の手前から奥方向に向かって刃先を進める丸刀２ｂ等は、彫るために必要な力を丸刃部３４に容易に、かつ安定した状態で伝えることができ、作業が楽となる。加えて、把持に際して無理な力が掛からないため、長時間の作業でも作業者が疲れを感じることが少なくなる。さらに、把持が安定するため、手が滑り、誤って指を負傷するなどの可能性も低くなる。
【００４３】
なお、上述した丸刀２ｂ以外にも、小丸刀２ａ、三角刀２ｃ、及び平刀２ｅについても同様の把持をすることができ、同様の効果を得ることができる。さらに、丸刀２ｂ及び平刀２ｅは、把持部４の長さが小丸刀２ａ及び三角刀２ｃに対して長く形成されている（Ｌ２＞Ｌ１：図２（ａ）及び図３（ａ）参照）。すなわち、丸刀２ｂ等は、比較的広い範囲を削る際に用いるものであり、小丸刀２ａ等に比べ、作業に要する力は大きくなる。
【００４４】
このとき、把持部３１の長さが短いと挟持した親指ＴＦや人差し指ＩＦと添えた指（図示しない）が接触し、作業を却って阻害することがある。そこで、小丸刀２ａ等に比べ、把持部３１を長く形成することにより、上述の不具合を解消することができる。なお、小丸刀２ａ等は比較的小さな範囲を細かく削るため、それほど大きな力を作業にかけることが少なく、持ち手によって加えられる力で充分であるため、把持部４が短くして形成されている。
【００４５】
さらに、本実施形態の彫刻刀２ａ，２ｂ，２ｃ，２ｄは、把持部４（若しくは把持部３１）と柄部５（若しくは柄部３２）との双方に、載置の際に載置面Ｆに当接する箇所に截頭された載置部１７及び第二載置部１９を有して形成されている。これにより、机上の載置面Ｆに断面略逆三角形状に形成され、三角形の頂点が下方に位置する把持部４，３１であっても、載置面Ｆに安定した状態で載置することができる（図２（ｃ）及び図３（ｃ）参照）。
【００４６】
次に、本実施形態の彫刻刀セット１における切出し刀２ｄについて説明すると、切出し刀２ｄは、図６に示すように、把持部４１を構成する一対の凹状湾曲面４５ａ，４５ｂをそれぞれ有する挟持部４６を、作業者が親指ＴＦ及び中指ＬＦで双方から挟み込むようにして挟持し、さらに、人差し指ＩＦで上支持部４７を上方から押さえながら支持することによって把持される。すなわち、前述した小丸刀２ａ等の把持の仕方と異なっている。一般に、前述した小丸刀２ａや丸刀２ｂ等は、作業者の手前から奥に向かって刃先を動かし、作業を行うものに対し、切出し刀２ｄは、逆に奥から手前に引きながら使用することが多い。そのため、前述したように、上支持部４７を上方から押さえるようにした把持を行うことにより、該切出し作業に力を加えやすくなる。
【００４７】
以上述べたように、本実施形態の彫刻刀セット１は、ケース３に収容される小丸刀２ａ、丸刀２ｂ、三角刀２ｃ、平刀２ｅ、及び切出し刀２の各々に対し、彫刻刀本体６，３３，４３の形状、特に把持部４，３１，４１が作業に適した把持ができるようにそれぞれ異なって形成されている（但し、三角刀２ｃは小丸刀２ａと、平刀２ｅは丸刀２ｂと同一形状に形成されている）。そのため、作業者は、作業の目的に応じて彫刻刀２を選択することにより、無意識のうちに作業に適した状態で把持することができ、作業が楽になり、長時間の作業でも疲れを感じることが従来と比べて少なくなる。さらに、把持状態が安定するために、手などが滑って、作業者の体の一部（指先など）を誤って傷つけてしまうおそれも少なくなる。
【００４８】
加えて、小丸刀２ａ、丸刀２ｂ、三角刀２ｃ、及び平刀２ｅには、机上に安定して載置をすることができるように、載置部１７及び第二載置部１９が設けられている。これにより、机上を小丸刀２ａ等が転動することがなくなり、机上から落下することに伴う危険性を回避することができる。なお、切出し刀２ｄは、把持部４１の断面が略六角形状を呈して形成されているため、載置の際に左右のいずれかに転動することがないため、係る載置部１７等が設けられていない。
【００４９】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００５０】
すなわち、本実施形態の彫刻刀セット１において示した小丸刀２ａ、丸刀２ｂ、及び切出し刀２ｄの彫刻刀本体６，３３，４３のそれぞれの形状は、図示したものに特に限定されるものではなく、前述した凹状湾曲面９ａ，９ｂ等を有し、作業者による把持に無理が無いような形状のものであれば、構わない。さらに、図１において示したケース３の形状は、これに限定されるものではなく、五本の彫刻刀２を収容可能なものであれば、形状及びデザイン等を変更するものであっても勿論構わない。
【００５１】
【発明の効果】
以上のように、本発明の彫刻刀は、それぞれの刃先の種類、用途、及び使用方法（力を加える方向）等を考慮し、それぞれ適切な把持ができるような把持部を有して形成されている。そのため、彫刻刀を使用する場合、作業者に余計な力を要するような把持を強いることがなく、自然な状態で彫刻刀を把持させることができる。そのため、使用中に疲れ等を感じることが少なくなる。さらに、彫刻刀を安定して把持することができるため、ケガなどをする可能性も低くなり、特に小学生などの児童が使用することに好適である。
【００５２】
また、本発明の彫刻刀セットは、前述した種々の把持に適した形状からなる彫刻刀（小丸刀、三角刀、丸刀、切出し刀、及び平刀）を揃え、五本をセットにしてケースに収容されている。そのため、作業及び用途に応じた彫刻刀を、作業者は適宜選択し、適切な把持で作業を行うことができる。
【図面の簡単な説明】
【図１】本実施形態の彫刻刀セットの構成を示す説明図である。
【図２】小丸刀の構成を示す（ａ）平面図、（ｂ）正面図、（ｃ）載置状態を示す説明図である。
【図３】丸刀の構成を示す（ａ）平面図、ｂ）正面図、（ｃ）載置状態を示す説明図である。
【図４】切出し刀の構成を示す（ａ）平面図、及び（ｂ）正面図である。
【図５】小丸刀の把持例を示す説明図である。
【図６】切出し刀の把持例を示す説明図である。
【図７】従来の彫刻刀セットの構成の一例を示す説明図である。
【符号の説明】
１  彫刻刀セット
２  彫刻刀
２ａ  小丸刀（彫刻刀）
２ｂ  丸刀（彫刻刀）
２ｃ  三角刀（彫刻刀）
２ｄ  切出し刀（彫刻刀）
２ｅ）平刀（彫刻刀）
３  ケース
４，３１，４１  把持部
５，３２，４２  柄部
６，３３，４３  彫刻体本体
７  刃取付部
８  小丸刃部（刃部）
９ａ，９ｂ  凹状湾曲面
９ｃ  第二凹状湾曲面
１０ａ，１０ｂ  挟持部
１１  上端
１２  上面部
１５  孔部（滑止め手段）
１７  載置部（転動防止手段）
１９  第二載置部（転動防止手段）
２１  三角刃部（刃部）
３４  丸刃部（刃部）
３５  平刃部（刃部）
４４  切出し刃部（刃部）
４５ａ，４５ｂ  凹状湾曲面（第三凹状湾曲面）
４６  挟持部（第二挟持部）
４７  上支持部
４８  溝部（滑止め手段）
ＩＦ  人差し指
Ｌ１，Ｌ２  把持部の長さ
ＬＦ  中指
Ｒ  指腹
ＴＦ  親指
【図１】
2004330646.tif 000003
【図２】
2004330646.tif 000004
【図３】
2004330646.tif 000005
【図４】
2004330646.tif 000006
【図５】
2004330646.tif 000007
【図６】
2004330646.tif 000008
【図７】
2004330646.tif 000009